(57)【特許請求の範囲】
【請求項１】
トラバースシャーシに取り付けられた中継配線基板等から合成樹脂製のメインシャーシの側方へ引き出したフレキシブルフラットケーブルをメインシャーシの側壁の外面に沿って上方へ折り曲げることにより形成したケーブル折曲部が、メインシャーシの側壁の下部に形成されたフック部と上記メインシャーシの側壁の外面との間の隙間に嵌め込まれて上記フック部に引っ掛けて止められていて、
上記フレキシブルフラットケーブルが、上記ケーブル折曲部の上側で横向きに直角に曲がるように折り畳むことによって形成されてメインシャーシの側壁の外面に沿わせて引き回されたケーブル横行部と、このケーブル横行部に折曲り箇所を介して連続し、かつ、先端がメインシャーシに隣接して配置されたメイン配線基板に接続される先端側部位と、を有する光ディスク装置において、
フレキシブルフラットケーブルの上記ケーブル横行部と上記先端側部位との境界部分に位置している上記折曲り箇所では、上記先端側部位が上記ケーブル横行部に重なってそのケーブル横行部と上記メインシャーシの側壁との間に位置するように折り畳まれ、
上記ケーブル横行部の上縁が、上記メインシャーシの側壁の上部で側壁外面との間に隙間をあけて形成された係合部と側壁外面との間の隙間に嵌め込まれてその係合部に係合していることを特徴とする光ディスク装置。
【請求項２】
上記係合部に、下端に近づくほどメインシャーシの側壁外面に接近するように傾斜したガイド斜面が形成されていることを特徴とする請求項１記載の光ディスク装置。
【請求項３】
上記係合部と上記フック部との横方向の間隔が、上記係合部と上記フック部との縦方向の間隔よりも小さいことを特徴とする請求項１又は請求項２に記載の光ディスク装置。
【請求項４】
メインシャーシの側壁の上部外側に一体に成形されている成形部位であって、脱型の際に突き出しピンにより下方から突き出される成形部位の下面に、上記係合部が形成されていることを特徴とする請求項１ないし請求項３のいずれかに記載の光ディスク装置。
【発明の詳細な説明】
【技術分野】
【０００１】
本発明は、ＤＶＤ、ＣＤなどの光ディスク装置に関し、特に、トラバースシャーシに取り付けられた中継配線基板等からメインシャーシの側方へ引き出されるフレキシブルフラットケーブルが断線しないように改良した光ディスク装置に関する。
【背景技術】
【０００２】
従来の光ディスク装置は、図７に示すように、トラバースシャーシの中継配線基板等からメインシャーシ１の側方へ引き出したフレキシブルフラットケーブル６の先端を、メインシャーシ１に隣接して配置されるメイン配線基板１３に接続する場合、メインシャーシ１の側方へ引き出したフレキシブルフラットケーブル６を、メインシャーシ１の側壁１ｄの下部に形成されたフック部１ｅに引っ掛け、更にフレキシブルフラットケーブル６をメインシャーシ１の側壁１ｄに沿わせて横方向に引き回し、フレキシブルフラットケーブル６の先端をメイン配線基板１３に接続している。
【０００３】
一方、制御基板を電源用基板又は他の制御基板などと接続するためのフラットケーブルなどの線材を保持するケーブル保持手段として、複数の線処理部をフレームの側壁の下部に設けたディスク装置が提案されている（特許文献１）。
【特許文献１】特開２００５−２３５２６２号公報
【発明の開示】
【発明が解決しようとする課題】
【０００４】
しかしながら、図７に示す従来の光ディスク装置は、フレキシブルフラットケーブル６をメインシャーシ１の側壁下部のフック部１ｅに引っ掛けて一箇所で止めるだけであるから、メインシャーシ１の側壁１ｄに沿って横方向に引き回されたフレキシブルフラットケーブルの横行部６ｃがメインシャーシ１の側壁１ｄにピッタリと沿わず、図７に仮想線で示すように、フレキシブルフラットケーブルの横行部６ｃがメイン配線基板１３側に捻じれたり撓んだりするため、この横行部６ｃが邪魔になってメイン配線基板１３を支持用の板金（不図示）にネジ（不図示）で固定する作業がし辛くなり、ネジで固定する際に、フレキシブルフラットケーブルの横行部６ｃやその先の部分がメイン配線基板１３とネジ頭部との間に挟まって断線することがあった。
【０００５】
このような問題は、特許文献１のように、フラットケーブルなどの線材を保持するケーブル保持手段として複数の線処理部をフレームの側壁の下部に設けたディスク装置においても、同様に生じる。
【０００６】
本発明は上記事情の下になされたもので、その解決しようとする課題は、トラバースシャーシの中継配線基板等からメインシャーシの側方へ引き出したフレキシブルフラットケーブルの横行部がメイン配線基板側に捻じれたり撓んだりしないため、メインシャーシに隣接するメイン配線基板の固定作業がし易く、フレキシブルフラットケーブルが断線する心配もない光ディスク装置を提供することにある。
【課題を解決するための手段】
【０００７】
上記課題を解決するため、本発明に係る光ディスク装置は、トラバースシャーシに取り付けられた中継配線基板等から合成樹脂製のメインシャーシの側方へ引き出したフレキシブルフラットケーブルをメインシャーシの側壁の外面に沿って上方へ折り曲げることにより形成したケーブル折曲部が、メインシャーシの側壁の下部に形成されたフック部と上記メインシャーシの側壁の外面との間の隙間に嵌め込まれて上記フック部に引っ掛けて止められていて、上記フレキシブルフラットケーブルが、上記ケーブル折曲部の上側で横向きに直角に曲がるように折り畳むことによって形成されてメインシャーシの側壁の外面に沿わせて引き回されたケーブル横行部と、このケーブル横行部に折曲り箇所を介して連続し、かつ、先端がメインシャーシに隣接して配置されたメイン配線基板に接続される先端側部位と、を有する光ディスク装置において、フレキシブルフラットケーブルの上記ケーブル横行部と上記先端側部位との境界部分に位置している上記折曲り箇所では、上記先端側部位が上記ケーブル横行部に重なってそのケーブル横行部と上記メインシャーシの側壁との間に位置するように折り畳まれ、上記ケーブル横行部の上縁が、上記メインシャーシの側壁の上部で側壁外面との間に隙間をあけて形成された係合部と側壁外面との間の隙間に嵌め込まれてその係合部に係合していることを特徴とするものである。
【０００８】
本発明の光ディスク装置においては、上記係合部に、下端に近づくほどメインシャーシの側壁外面に接近するように傾斜したガイド斜面を形成することが望ましい。そして、上記係合部と上記フック部との横方向の間隔を、上記係合部と上記フック部との縦方向の間隔よりも小さくすることが望ましい。
【０００９】
また、本発明の光ディスク装置においては、メインシャーシの側壁の上部外側に一体に成形されている成形部位であって、脱型の際に突き出しピンにより下方から突き出される成形部位の下面に、上記係合部を形成することが望ましい。
【発明の効果】
【００１０】
本発明の光ディスク装置のように、メインシャーシの側壁に沿って横方向に引き回されたフレキシブルフラットケーブルの横行部（以下、ケーブル横行部と記す）の上縁が、メインシャーシの側壁の上部に形成された係合部と側壁外面との間の隙間に挿入されて係合部に係合していると、ケーブル横行部の上縁が係合部によってメインシャーシの側壁から離れないように止められるため、ケーブル横行部がメインシャーシの側壁にピッタリと沿って、メイン配線基板側へ捻じれたり撓んだりすることが防止される。従って、メイン配線基板をネジで固定する際にケーブル横行部が邪魔にならないので、メイン配線基板の固定作業がし易くなって作業効率が向上すると共に、ケーブル横行部やその先の部分がメイン配線基板とネジ頭部との間に挟まって断線する心配も解消される。
【００１１】
そして、上記係合部に、下端に近づくほどメインシャーシの側壁外面に接近するように傾斜したガイド斜面が形成されていると、このガイド斜面にケーブル横行部の上縁を当てがって押し込むだけで、簡単にケーブル横行部の上縁を係合部と側壁外面との間の隙間に嵌め込むことができる。
【００１２】
また、上記係合部と上記フック部との横方向の間隔が大き過ぎる場合は、ケーブル横行部がフック部を支点として自重で撓み、その上縁が係合部から外れ易くなるが、上記係合部と上記フック部との横方向の間隔が、上記係合部と上記フック部との縦方向の間隔よりも小さくなっていると、フック部で支持される部分から係合部と係合する部分までのフレキシブルフラットケーブルの撓み量が極く僅かであるため、ケーブル横行部の上縁が係合部から外れる心配はなくなる。
【００１３】
更に、メインシャーシの側壁の上部外側に一体に成形されている成形部位であって、脱型の際に突き出しピンにより下方から突き出される成形部位の下面に、上記係合部を形成する場合は、突き出しピンの先端を斜めにカットするだけで、上記のガイド斜面を有する円柱ボス形状の係合部を成形できるため、実質的に成形金型を変更することが不要となり、コストアップを防止することが可能となる。
【発明を実施するための最良の形態】
【００１４】
以下、図面を参照して本発明の具体的な実施形態を詳述する。
【００１５】
図１は本発明の一実施形態に係る光ディスク装置の平面図、図２は同光ディスク装置の概略底面図、図３は同光ディスク装置の要部斜視図、図４は同光ディスク装置の斜め下方から見上げた要部斜視図、図５は図３のＡ−Ａ線断面図、図６は同光ディスク装置の光ピックアップとターンテーブルを搭載したトラバースシャーシの概略断面図である。
【００１６】
この光ディスク装置は、図１，図２に示すように、合成樹脂製のメインシャーシ１の内側に、合成樹脂製のトラバースシャーシ２が、その後端両側部において取付ネジ７ａとゴムダンパー７ｂを用いて上下揺動可能に取付けられており、図１，図６に示すように、トラバースシャーシ２の前端部にはスピンドルモータＭによって回転するターンテーブル３が、また、トラバースシャーシ２のターンテーブル３より後側には光ピックアップ４が、それぞれ搭載されている。そして、図２，図６に示すように、トラバースシャーシ２の下面には中継配線基板１２が取り付けられ、この中継配線基板１２からフレキシブルフラットケーブル６がメインシャーシ１の側方へ引き出されている。尚、このフレキシブルフラットケーブル６の引き回しについては後で詳しく説明する。
【００１７】
上記のターンテーブル３は、トラバースシャーシ２の前端部に取付けられたスピンドルモータＭの出力軸に固定され、トラバースシャーシ２が上方に回動したときに、このターンテーブル３とその真上のクランパー９（図１を参照）との間に光ディスクの中央開口縁を挟んで光ディスクを回転させるようになっている。このクランパー９は、図１に示すように、メインシャーシ１に一体成形されたブリッジ部１ａの中央のクランパー保持部１ｂに回転自在に保持されている。
【００１８】
また、上記の光ピックアップ４は、そのラック４ａと噛み合うピニオン８により、ガイド軸５，５に沿って前後方向（ターンテーブル３に対して接近・離反する方向）に移動するように搭載されており、ターンテーブル３に接近しながらレーザービームを対物レンズ４ｂから光ディスクに照射して、記録・再生を行うようになっている。尚、この光ピックアップ４のフレキシブルフラットケーブルもメインシャーシ１の側方へ引き出されているが、図１，図２、図６では図示されていない。
【００１９】
トラバースシャーシ２の前端には、前方へ突き出す二つの凸部２ｃ，２ｄが形成されており、これらの凸部２ｃ，２ｄがそれぞれ挿入されるカム溝１０ａを備えた合成樹脂製のカムスライダー１０が、メインシャーシ１の前枠部１ｃに左右スライド可能に取付けられている。そして、このカムスライダー１０の右端のラック１０ｂが駆動ピニオン１１と噛み合って、カムスライダー１０が左方向Ｌにスライドすると、トラバースシャーシ２の凸部２ｃ，２ｄがカム溝内を摺動しながら下降するため、トラバースシャーシ２は下方へ回動し、カムスライダー１０が右方向Ｒへスライドすると、トラバースシャーシ２が上方へ回動するようになっている。
【００２０】
また、光ディスクを載せて挿入・排出されるディスクトレイ（不図示）は、トラバースシャーシ２とクランパー９との間に配置されて、メインシャーシ１の内側に前後方向にスライド可能に取付けられており、このディスクトレイの裏面のラックにピニオンが噛み合って回転すると、ディスクトレイが挿入・排出されるようになっている。
【００２１】
上記の光ディスク装置は、光ディスクをディスクトレイに載せて挿入した図１のディスククローズの状態では、トラバースシャーシ２が上昇し、光ディスクがターンテーブル３とクランパー９に挟まれて回転する共に、光ピックアップ４がガイド軸５，５に沿ってターンテーブル３の方へ移動しながら、レーザービームを光ディスクに照射し、記録・再生が行われる。そして、光ディスクへの記録・再生が終わると、カムスライダー１０のラック１０ｂが駆動ピニオン１１と噛み合って、カムスライダー１０が左方向Ｌへスライドし、トラバースシャーシ２が下方へ回動してターンテーブル３とクランパー９による光ディスクのチャックが解除され、光ディスクがディスクトレイに載置されて排出される。
【００２２】
この光ディスク装置の大きい特徴は、中継配線基板１２からのフレキシブルフラットケーブル６の引き回しと、その固定の手段にある。即ち、この光ディスク装置は、中継配線基板１２のフレキシブルフラットケーブル６を、メインシャーシ１に隣接して配置されるメイン配線基板１３に接続できるように引き回したものであって、図２，図３，図４に示すように、中継配線基板１２からメインシャーシ１の側方へ引き出したフレキシブルフラットケーブル６を、メインシャーシ１の側壁１ｄの外面に沿って上方へ折り曲げ、このケーブル折曲部６ａをメインシャーシ１の側壁１ｄの下部に形成された横Ｌ形のフック部１ｅとメインシャーシ１の側壁１ｄの外面との間の隙間に嵌め込んでフック部１ｅに引っ掛けて止めている。また、フレキシブルフラットケーブル６が、ケーブル折曲部６ａの上側で横向きに直角に曲がるように折り畳むことによって形成されてメインシャーシ１の側壁１ｄの外面に沿わせて引き回されたケーブル横行部６ｃと、このケーブル横行部６ｃに折曲り箇所を介して連続し、かつ、先端がメインシャーシ１に隣接して配置されるメイン配線基板１３に接続される先端側部位とを有している。そして、フレキシブルフラットケーブル６のケーブル横行部６ｃと先端側部位との境界部分に位置している上記折曲り箇所では、上記の先端側部位がケーブル横行部６ｃに重なってそのケーブル横行部６ｃとメインシャーシ１の側壁１ｄとの間に位置するように折り畳まれている。フレキシブルフラットケーブル６の上記先端側部位は、メイン配線基板１３の方へ折り曲げられて、フレキシブルフラットケーブル６の先端をメイン配線基板１３に接続している。
【００２３】
図３，図４，図５に示すように、メインシャーシ１の側壁１ｄの上部には、係合部１ｆが、側壁１ｄの外面との間に隙間をあけて形成されており、この隙間にフレキシブルフラットケーブル６のケーブル横行部６ｃの上縁が嵌め込まれて係合部１ｆと係合されている。この係合部１ｆは円柱ボス形状を有するもので、側壁１ｄの上部の外側に一体に成形されたネジ止めボス部１ｇの下面から突設されており、この係合部１ｆには、下端に近づくほどメインシャーシ１の側壁１ｄの外面に接近するように傾斜したガイド斜面１ｈが形成されている。
【００２４】
上記のように、フレキシブルフラットケーブル６のケーブル横行部６ｃの上縁が、メインシャーシ１の側壁１ｄの上部に形成された係合部１ｆと側壁１ｄ外面との間の隙間に挿入されて係合部１ｆに係合していると、ケーブル横行部６ｃの上縁が係合部１ｆによってメインシャーシ１の側壁１ｄから離れないように止められるため、ケーブル横行部６ｃがメインシャーシ１の側壁１ｄにピッタリと沿って、メイン配線基板１３側へ捻じれたり撓んだりすることが防止される。従って、メイン配線基板１３をネジで固定する際にケーブル横行部６ｃやその先の部分が邪魔にならないので、メイン配線基板１３の固定作業がし易くなって作業効率が向上すると共に、ケーブル横行部６ｃやその先の部分がメイン配線基板１３とネジ頭部との間に挟まって断線する心配も解消される。
【００２５】
上記のネジ止めボス部１ｇは、メインシャーシ１の側壁１ｄの上部外側に元々成形された既設の成形部位であって、脱型の際に突き出しピンにより下方から突き出される成形部位であるから、このようなネジ止めボス部１ｇの下面に係合部１ｆを突設する場合は、突き出しピンの先端を斜めにカットするだけで、実質的に成形金型を変更することなく、ガイド斜面１ｈを有する円柱ボス形状の係合部１ｆを簡単に成形することが可能となり、コストアップを防止できる利点がある。
【００２６】
また、係合部１ｆに上記のガイド斜面１ｈが形成されていると、このガイド斜面１ｈにケーブル横行部６ｃの上縁を当てがって押し込むだけで、簡単にケーブル横行部６ｃの上縁を係合部１ｆと側壁１ｄ外面との間の隙間に嵌め込んで係合部１ｆと係合させることができる利点がある。
【００２７】
上記係合部１ｆと前記フック部１ｅとの横方向の間隔は限定されないが、間隔が大き過ぎると、ケーブル横行部６ｃがフック部１ｅを支点として自重で撓み、ケーブル横行部６ｃの上縁が係合部１ｆから外れ易くなるので、係合部１ｆとフック部１ｅとの横方向の間隔は、係合部１ｆとフック部１ｅとの縦方向の間隔よりも小さくすることが望ましい。具体的には、横方向の間隔を３〜２０ｍｍ程度に設定するのが適当である。この程度の間隔であれば、フック部１ｅで支持される部分から係合部１ｆと係合する部分までのフレキシブルフラットケーブル（ケーブル横行部６ｃ）の撓み量が極く僅かであるため、ケーブル横行部６ｃの上縁が係合部１ｆから外れる心配はない。
【００２８】
以上、中継配線基板１２からフレキシブルフラットケーブル６を引き回して、メインシャーシ１に隣接して配置されるメイン配線基板に接続する実施形態を挙げて、本発明の光ディスク装置を説明したが、本発明はこの実施形態のみに限定されるものではなく、例えば、光ピックアップからフレキシブルフラットケーブルを引き回してメイン配線基板に接続する場合も同様に適用できるものである。
また、係合部１ｆの形状等は種々変更可能であり、係合部を設ける場所もネジ止めボス部１ｇの下面に限定されず、メインシャーシ１の側壁１ｄの外面上部に直接設けるようにしても勿論よい。
【図面の簡単な説明】
【００２９】
【図１】本発明の一実施形態に係る光ディスク装置の平面図である。
【図２】同光ディスク装置の概略底面図である。
【図３】同光ディスク装置の要部斜視図である。
【図４】同光ディスク装置の斜め下方から見上げた要部斜視図である。
【図５】図３のＡ−Ａ線断面図である。
【図６】同光ディスク装置の光ピックアップとターンテーブルを搭載したトラバースシャーシの概略断面図である。
【図７】従来の光ディスク装置の部分斜視図である。
【符号の説明】
【００３０】
１  メインシャーシ
１ｄ  側壁
１ｅ  フック部
１ｆ  係合部
１ｇ  ネジ止めボス部
１ｈ  ガイド斜面
２  トラバースシャーシ
３  ターンテーブル
４  光ピックアップ
６  フレキシブルフラットケーブル
６ａ  ケーブル折曲部
６ｂ  ケーブル折畳部
６ｃ  ケーブル横行部
９  クランパー
１０  カムスライダー
１２  中継配線基板
１３  メイン配線基板
【図１】
0004992644.tif 000002
【図２】
0004992644.tif 000003
【図３】
0004992644.tif 000004
【図４】
0004992644.tif 000005
【図５】
0004992644.tif 000006
【図６】
0004992644.tif 000007
【図７】
0004992644.tif 000008